(57)【要約】【課題】乗物の走行時の振動が座クッションに伝わりにくく、座り心地の良い乗物用座席を提供する。【解決手段】乗物用座席１０は、座フレーム２１と、座フレーム２１の間に張架された座クッション受け３０と、座クッション受け３０の上に載置された座クッション４０とを備え、座クッション４０は、平面視で座フレーム２１にかかる寸法を有し、該座フレーム２１にかかる部分の下面に座フレーム２１に当接しないよう高さレベルを上げた底上げ部４５が形成されている。座クッション受け３０は、シートであり、コイルスプリング３５を介して座フレーム２１に張架され、底上げ部４５は、コイルスプリング３５の座フレーム寄り端部にも当接しないように形成されている。【選択図】図５
2014087557.tif 000002
【特許請求の範囲】
【請求項１】
座フレーム（２１）と、座フレーム（２１）の間に張架された座クッション受け（３０）と、座クッション受け（３０）の上に載置された座クッション（４０）とを備え、座クッション（４０）は、平面視で座フレーム（２１）にかかる寸法を有し、該座フレーム（２１）にかかる部分の下面に座フレーム（２１）に当接しないよう高さレベルを上げた底上げ部（４５）が形成された乗物用座席。
【請求項２】
底上げ部（４５）は、座クッション（４０）に体重７０Ｋｇの人が着座しても、座フレーム（２１）に当接しないよう高さレベルを上げて形成された請求項１記載の乗物用座席。
【請求項３】
座クッション受け（３０）は、シートであり、コイルスプリング（３５）を介して座フレーム（２１）に張架され、
座クッション（４０）の下面は、座クッション受け（３０）ないしコイルスプリング（３５）の座クッション受け寄り端部に当接し、
底上げ部（４５）は、コイルスプリング（３５）の座フレーム寄り端部ないし座フレーム（２１）に当接しないように形成された請求項１又は２記載の乗物用座席。
【請求項４】
座クッション受け（３０）は、シートであり、コイルスプリング（３５）を介して座フレーム（２１）に張架され、
座クッション（４０）の下面は、座クッション受け（３０）に当接し、
底上げ部（４５）は、コイルスプリング（３５）ないし座フレーム（２１）に当接しないように形成された請求項１又は２記載の乗物用座席。
【発明の詳細な説明】
【技術分野】
【０００１】
本発明は、軌道走行車両、自由走行車両、船舶、航空機等の各種乗物に設置される乗物用座席に関し、特に座部の構造に係るものである。
【背景技術】
【０００２】
乗物用座席の座部には、良好な座り心地のために大きい弾性ストロークが要求され、また、軽量性と省スペース性のために薄型化が要求される。 この弾性ストロークと薄型化とを両立しうる座部構造として、座フレームの間に、二次元状に広がる座クッション受けを、コイルスプリングを介して又は座クッション受け自体に弾性を持たせて張架し、座フレーム及び座クッション受けの上に座クッションを載置したものがある。座クッション受けと座クッションとで大きい弾性ストロークを得ると共に、座クッション受けが薄手で済むことと座クッションを比較的薄型にできることとで薄型化を図ることができる。
【０００３】
特許文献１は、座クッション受けとして塩化ビニール製シート等の弾性を有するシートを用いたものである。特許文献２は、座クッション受けとしてワイヤを用い、該ワイヤをコイルスプリングを介して座フレームに張架したものである。また、座クッション受けとして、Ｓ字スプリングも用いられる。特許文献３も、座クッション受けとしてワイヤを用い、該ワイヤをコイルスプリングを介して座フレームに張架したものである。
【先行技術文献】
【特許文献】
【０００４】
【特許文献１】特開平５−１０４５５０号公報
【特許文献２】実開昭５８−９１９５２号公報
【特許文献３】実開昭５７−６５６５０号公報
【発明の概要】
【発明が解決しようとする課題】
【０００５】
乗物用座席には、乗物の走行時の振動が伝わるため、その振動を着座者にはできるだけ伝わらないようにすることが好ましい。前述した従来の乗物用座席（特許文献１〜３）は、座フレームが振動しても、コイルスプリング又は座クッション受け自体の弾性によってその振動が吸収されるため、座クッション受けの振動は抑えられる。よって、その座クッション受けの上に載置された座クッションには、振動が伝わりにくいと考えられる。
【０００６】
ところが、乗物によって走行時の振動の原因、周波数、波形、振幅等は種々異なるものであり、本発明者らが検討したところ、振動の種類によっては、上記の乗物用座席であっても、かなりの振動が着座者に伝わる場合があることが分かってきた。それは、次の原因によるものと考えている。座クッションは、平面視で座フレームにまでかかるサイズに形成されていることから、座クッションの中央部分が座クッション受けに載置されるだけでなく、座クッションの端部分が座フレームに載置される。そして、座クッションの中央部分が座クッション受けに当接する面積と比べて、座クッションの端部分が座フレームに当接する面積はずっと小さいが、それでも該小面積から、振動がその種類によっては予想外に座クッションに伝わり、さらに着座者に伝わって座り心地を害するのである。
【０００７】
なお、特許文献３では、座クッションの下面に、コイルスプリングに対応した凹溝を形成しており、この凹溝により、座クッションとコイルスプリングとの接触が無くなり、スプリングの伸縮が円滑に行われ、擦過異音の発生が防止されるとしている。しかし、この凹溝は座フレームに対応するものではないため、座クッションの端部分は座フレームに載置されるようになっている。
【０００８】
そこで、本発明の目的は、乗物の走行時の振動が座クッションに伝わりにくく、座り心地の良い乗物用座席を提供することを目的とする。
【課題を解決するための手段】
【０００９】
本発明の乗物用座席は、座フレームと、座フレームの間に張架された座クッション受けと、座クッション受けの上に載置された座クッションとを備え、座クッションは、平面視で座フレームにかかる寸法を有し、該座フレームにかかる部分の下面に座フレームに当接しないよう高さレベルを上げた底上げ部が形成されたことを特徴とする。次に、本発明の態様を例示する。
【００１０】
１．座フレーム
座フレームとしては、左右方向に間隔をおいて並ぶ２つの座フレームの間に座クッション受けが張架された態様、前後方向に間隔をおいて並ぶ２つの座フレームの間に座クッション受けが張架された態様、四角枠を形成する４つの座フレームの間に座クッション受けが張架された態様等を例示できる。
【００１１】
２．座クッション受け
座クッション受けとしては、座フレームの間に張架できる二次元状に広がるものであれば特に限定されないが、（ａ）布、樹脂、ゴム等よりなるシート、（ｂ）布、樹脂、金属等よりなる網、（ｃ）複数本の並行したワイヤ、（ｄ）複数本の並行したＳ字スプリング等を例示できる。
【００１２】
座クッション受けは、その端部を座フレームに直接結合してもよいし、その端部をコイルスプリング等のスプリングを介して座フレームに結合してもよい。布シート等のように自身に弾性が実質的にない座クッション受けを用いる場合には、着座時の弾性ストロークを大きくするために、後者のスプリングを介した結合が好ましい。
【００１３】
３．座クッションの底上げ部
底上げ部の形状としては、特に限定されないが、次の態様を例示できる。
（ア）座クッションのうち座フレームにかかる部分の下面が、座クッションのうち座クッション受けにかかる部分の下面に対して、段状に高さレベルを上げた断面鉤形状。
（イ）座クッションのうち座フレームにかかる部分の下面が、座クッションのうち座クッション受けにかかる部分の下面に対して、徐々に高さレベルを上げた断面傾斜形状。
【００１４】
底上げ部は、座クッションに着座していないときに座フレームに当接しないよう高さレベルを上げていれば、たとえ座クッションに着座したときに座フレームに当接したとしてもその当接力は弱まるので、乗物の走行時の振動が座フレームから座クッションに伝わりにくくなり、着座者に伝わる振動は抑制され、座り心地が向上する。
【００１５】
但し、底上げ部が、座クッションに着座して座クッションが圧縮変形しても、座フレームに当接しないよう高さレベルを上げて形成されていれば、乗物の走行時の振動が座フレームから座クッションに直接には伝わらなくなるため（座クッション受けを介しては伝わる）、着座者に伝わる振動はより確実に抑制され、座り心地はさらに良くなる。よって、底上げ部は、座クッションに体重７０Ｋｇの人が着座しても、座フレームに当接しないよう高さレベルを上げて形成されていることが好ましい。この場合、座クッションにより軽い体重７０Ｋｇ未満の人が着座しても、７０Ｋｇの場合より座クッションの圧縮変形量は減るだけなので、底上げ部は座フレームに当接しない。なお、現在の日本人男性の標準体重は６４ｋｇである。さらに、底上げ部は、座クッションに体重９５Ｋｇの人が着座しても、座フレームに当接しないよう高さレベルを上げて形成されていることがより好ましい。この場合、座クッションに体重９５Ｋｇ未満の人が着座しても、底上げ部は座フレームに当接しない。
【００１６】
４．組み合わせの態様
上記各要素を組み合わせた好ましい態様として、次のものを例示できる。
（１）座クッション受けは、シートであり、コイルスプリングを介して座フレームに張架され、座クッションの下面は、座クッション受けないしコイルスプリングの座クッション受け寄り端部に当接し、底上げ部は、コイルスプリングの座フレーム寄り端部ないし座フレームに当接しないように形成された態様。コイルスプリングのうち、座フレーム寄り端部は座フレームの振動を受けて振動しやすいが、座クッション受け寄り端部はコイルスプリング自身が振動を吸収するため振動しにくい。よって、底上げ部は、コイルスプリングの座フレーム寄り端部にも当接しないように形成することが好ましいのである。一方、座クッションのうち底上げ部を形成した部分は、厚さが減少して形状保持力が弱くなるので、底上げ部は過大にならないことが好ましい。よって、座クッションの下面を、コイルスプリングの座クッション受け寄り端部にも当接するように形成して、底上げ部が過大にならないようにしているのである。
（２）座クッション受けは、シートであり、コイルスプリングを介して座フレームに張架され、座クッションの下面は、座クッション受けに当接し、底上げ部は、コイルスプリングないし座フレームに当接しないように形成された態様。この態様（２）は、上記の態様（１）と比べて、底上げ部が大きくなるのでその部分の座クッションの形状保持力は低下するが、コイルスプリングから座クッションに伝わる振動はさらに低減される。
【００１７】
５．乗物
本発明の乗物用座席を適用できる乗物としては、特に限定されないが、（ａ）鉄道車両等の各種軌道に沿って走行する軌道走行車両、（ｂ）バス等の路上を自由に走行する自由走行車両、（ｃ）船舶、（ｄ）航空機等を例示できる。
【発明の効果】
【００１８】
本発明の乗物用座席は、乗物の走行時の振動が座クッションに伝わりにくく、座り心地が良いという優れた効果を奏する。
【図面の簡単な説明】
【００１９】
【図１】本発明の実施例１の乗物用座席の斜視図である。
【図２】同乗物用座席の図４におけるＩＩ−ＩＩ線断面図である。
【図３】同乗物用座席の座クッションを外したときの平面図である。
【図４】同乗物用座席の図２におけるＩＶ−ＩＶ線断面図である。
【図５】同乗物用座席の図２におけるＶ−Ｖ線断面図である。
【図６】同乗物用座席の図５の要部拡大断面図であり、（ａ）は非着座時の断面図、（ｂ）は着座時の断面図である。
【図７】同乗物用座席の座クッションを示し、（ａ）は平面図、（ｂ）は底面図、（ｃ）は側面図である。
【図８】（ａ）は実施例２の要部断面図、（ｂ）は実施例３の要部断面図である。
【発明を実施するための形態】
【００２０】
乗物用座席は、座フレームと、座フレームの間に張架された座クッション受けと、座クッション受けの上に載置された座クッションとを備え、座クッションは、平面視で座フレームにかかる寸法を有し、該座フレームにかかる部分の下面に座フレームに当接しないよう高さレベルを上げた底上げ部が形成されている。
【実施例１】
【００２１】
図１〜図７に示す実施例１の乗物用座席１０は、軌道走行車両用として適する二人掛け用の座席であり、脚部１１と座部２０と背当部１５と肘掛部１６、１７とを含む。なお、以下の説明で「左右」とは、着座者から見た左右であり、各図を見たときの左右とは逆である。
【００２２】
脚部１１は、床面９に固定される複数本の脚体１２と、脚体１２を上端部で互いに連結する連結体１３とからなる。
【００２３】
座部２０は、軌道走行車両の進行方向の変更に合わせて座席の向きを変えるための回転機構（図示略）を介して連結体１３上に設けられた座フレーム２１と、座フレーム２１の間（内空間）に張架された２つの座クッション受け３０と、座クッション受け３０に載置された２つの座クッション４０とを備える。
【００２４】
座フレーム２１は、左右方向に延びて前後方向に間隔をおいて平行に並ぶ前フレーム２２及び後フレーム２３と、前後方向に延びて前フレーム２２及び後フレーム２３の左右両端部をそれらより上方位置でまたがるようにして連結する左フレーム２４及び右フレーム２５と、前フレーム２２及び後フレーム２３の左右センターをそれらより上方位置でまたがるようにして連結するセンターフレーム２６とから構成されている。よって、左フレーム２４及び右フレーム２５とセンターフレーム２６とは左右方向に間隔をおいて平行に並び、これらよりも一段低い位置に前フレーム２２及び後フレーム２３がある。左フレーム２４及び右フレーム２５とセンターフレーム２６には、それぞれ複数（４つ）の掛止穴２８が前後方向に略等間隔をおいて貫設され、掛止穴２８にはそれぞれ保護ブッシュ２９が嵌入されている。左フレーム２４及び右フレーム２５にはそれぞれ左右の肘掛けフレーム２７が一体形成されている。
【００２５】
２つの座クッション受け３０が、左フレーム２４とセンターフレーム２６との間、また、右フレーム２５とセンターフレーム２６との間に、それぞれコイルスプリング３５を介して張架されている。座クッション受け３０は、これらの間の距離よりも短い略矩形状に形成された布シートである。座クッション受け３０の左右の両端部は折り返されて縫合されることにより袋部３１を形成しており、袋部３１の中に前後方向に延びるテンションバー３２が挿入されている。コイルスプリング３５は、一端のフック部が座クッション受け３０のテンションバー３２を超えた部位を突き抜けてテンションバー３２に掛止され、他端のフック部がフレーム２４，２５，２６の掛止穴２８の保護ブッシュ２９に掛止されている。そして、コイルスプリング３５の弾性力を受けてテンションバー３２が座クッション受け３０を均一に左右方向に緊張するようになっている。テンションバー３２の前後両端はループ状に折り返されて折り返し部３３が形成され、この折り返し部３３に最前部及び最後部のコイルスプリング３５のフック部が係合することにより、テンションバー３２が座クッション受け３０から抜脱しないようになっている。座クッション受け３０の天面の複数箇所には面ファスナの一方３４が縫合されている。
【００２６】
２つの座クッション４０は、略矩形状の発泡ウレタンよりなるクッション芯４１と、クッション芯４１の底面から側面の一部までを覆うようにクッション芯４１の表面に接合された面ファスナの他方４２と、クッション芯４１の天面から側面及び底面の一部までを覆うようにクッション芯４１の表面に接合された表皮４３とからなる。座クッション４０は、座クッション受け３０に載置され、前記面ファスナの他方４２を面ファスナの一方３４に係着することで座クッション受け３０に接合されている。
【００２７】
左側の座クッション４０は、平面視で、座フレーム２１の前フレーム２２と後フレーム２３と左フレーム２４とセンターフレーム２６の左半分とにかかる寸法を有し、左フレーム２４とセンターフレーム２６の左半分とにかかる部分、すなわち座クッション４０の左右の端部分の下面に、左フレーム２４とセンターフレーム２６の左半分に当接しないよう段状に高さレベルを上げた断面鉤形状の底上げ部４５が形成されている。
【００２８】
より詳しくは、座クッション４０の下面は、座クッション受け３０ないしコイルスプリング３５の座クッション受け寄り端部に当接し、底上げ部４５は、コイルスプリング３５の座フレーム寄り端部ないし左フレーム２４又はセンターフレーム２６の左半分に当接しない横幅に形成されている。また、図６（ａ）に示すように、底上げ部４５は、座クッション４０に着座していないときに左フレーム２４又はセンターフレーム２６の左半分に当接しないよう高さレベルを上げているだけでなく、図６（ｂ）に示すように、底上げ部４５は、座クッション４０に体重９５ｋｇの人Ｍが着座して該座クッション４０が圧縮変形しても、左フレーム２４又はセンターフレーム２６の左半分に座フレームに当接しないよう高さレベルを上げて形成されている。なお、前述のとおり、前フレーム２２及び後フレーム２３は右フレーム２５とセンターフレーム２６よりも一段低い位置にあるため、座クッション４０の前後の端部分の下面が前フレーム２２及び後フレーム２３に当接することはない。
【００２９】
右側の座クッション４０は、平面視で、座フレーム２１の前フレーム２２と後フレーム２３と右フレーム２５とセンターフレーム２６の右半分とにかかる寸法を有し、右フレーム２５とセンターフレーム２６の右半分とにかかる部分、すなわち座クッション４０の左右の端部分の下面に、右フレーム２５とセンターフレーム２６の右半分に当接しないよう段状に高さレベルを上げた断面鉤形状の底上げ部４５が形成されている。より詳しくは、上記の左側の座クッション４０と、左右関係が異なるだけで、基本的には同様である。
【００３０】
背当部１５は、座フレーム２１に対してリクライニング可能に取り付けられている。左右の肘掛部１６は、それぞれ肘掛けフレーム２７に支持されている。センターの肘掛部１７は、センターフレーム２６に支持されている。
【００３１】
以上詳述した実施例１の乗物用座席１０によれば、座クッション４０に、左フレーム２４、右フレーム２５、センターフレーム２６及びコイルスプリング３５の座フレーム寄り端部に当接しないよう高さレベルを上げた底上げ部４５が形成されているため、乗物の走行時の振動が座フレーム２１及びコイルスプリング３５の座フレーム寄り端部から座クッション４０に直接には伝わらず（座クッション受け３０を介しては伝わる）、着座者に伝わる振動は確実に抑制されるので、座り心地が良い。
【実施例２】
【００３２】
図８（ａ）に示す実施例２は、座クッション４０のうち座フレーム２１（図示例では左フレーム２４）にかかる部分の下面が、座クッション４０のうち座クッション受け３０にかかる部分の下面に対して、徐々に高さレベルを上げた断面傾斜形状に形成された点においてのみ実施例１と相違するものであり、その他は実施例１と同じである。この実施例２によっても、実施例１と同様の作用効果が得られる。
【実施例３】
【００３３】
図８（ｂ）に示す実施例３は、座クッション４０の下面は、座クッション受け３０にのみ当接し、底上げ部４５は、コイルスプリング３５（その全体）ないし座フレーム２１（図示例では左フレーム２４）に当接しないように形成された点においてのみ実施例１と相違するものであり、その他は実施例１と同じである。この実施例２によっても、基本的には実施例１と同様の作用効果が得られる。より詳しくは、実施例１と比べて、底上げ部４５の横幅が大きくなるのでその部分の座クッション４０の形状保持力は低下するが、コイルスプリング３５から座クッション４０に伝わる振動はさらに低減される。
【００３４】
なお、本発明は前記実施例に限定されるものではなく、発明の趣旨から逸脱しない範囲で適宜変更して具体化することができる。
【符号の説明】
【００３５】
１０    乗物用座席
２１    座フレーム
２４    左フレーム
２５    右フレーム
２６    センターフレーム
３０    座クッション受け
３５    コイルコイルスプリング
４０    座クッション
４５    底上げ部
【図１】
2014087557.tif 000003
【図２】
2014087557.tif 000004
【図３】
2014087557.tif 000005
【図４】
2014087557.tif 000006
【図５】
2014087557.tif 000007
【図６】
2014087557.tif 000008
【図７】
2014087557.tif 000009
【図８】
2014087557.tif 000010
【手続補正書】
【提出日】平成25年9月13日(2013.9.13)
【手続補正１】
【補正対象書類名】明細書
【補正対象項目名】００２８
【補正方法】変更
【補正の内容】
【００２８】
より詳しくは、座クッション４０の下面は、座クッション受け３０ないしコイルスプリング３５の座クッション受け寄り端部に当接し、底上げ部４５は、コイルスプリング３５の座フレーム寄り端部ないし左フレーム２４又はセンターフレーム２６の左半分に当接しない横幅に形成されている。また、図６（ａ）に示すように、底上げ部４５は、座クッション４０に着座していないときに左フレーム２４又はセンターフレーム２６の左半分に当接しないよう高さレベルを上げているだけでなく、図６（ｂ）に示すように、底上げ部４５は、座クッション４０に体重９５ｋｇの人Ｍが着座して該座クッション４０が圧縮変形しても、左フレーム２４又はセンターフレーム２６の左半分に座フレームに当接しないよう高さレベルを上げて形成されている。なお、前述のとおり、前フレーム２２及び後フレーム２３は左フレーム２４とセンターフレーム２６よりも一段低い位置にあるため、座クッション４０の前後の端部分の下面が前フレーム２２及び後フレーム２３に当接することはない。
【手続補正２】
【補正対象書類名】明細書
【補正対象項目名】００３３
【補正方法】変更
【補正の内容】
【００３３】
図８（ｂ）に示す実施例３は、座クッション４０の下面は、座クッション受け３０にのみ当接し、底上げ部４５は、コイルスプリング３５（その全体）ないし座フレーム２１（図示例では左フレーム２４）に当接しないように形成された点においてのみ実施例１と相違するものであり、その他は実施例１と同じである。この実施例３によっても、基本的には実施例１と同様の作用効果が得られる。より詳しくは、実施例１と比べて、底上げ部４５の横幅が大きくなるのでその部分の座クッション４０の形状保持力は低下するが、コイルスプリング３５から座クッション４０に伝わる振動はさらに低減される。
【手続補正３】
【補正対象書類名】明細書
【補正対象項目名】００３５
【補正方法】変更
【補正の内容】
【００３５】
１０    乗物用座席
２１    座フレーム
２４    左フレーム
２５    右フレーム
２６    センターフレーム
３０    座クッション受け
３５    コイルスプリング
４０    座クッション
４５    底上げ部